(57)【要約】【課題】光軸調整を伴うことなく過飽和吸収体のモード同期機能を充分に発揮させることができるモードロックファイバーレーザーを提供すること。【解決手段】金ミラー１６に対しＥＤＦ１１の一端側の方面で固着された過飽和吸収体１５で、ＥＤＦ１１の一端側の端面（導波路２１の端面を含む）を掩覆させることにより、光軸調整が必要なレンズを使用することなく、密度の大きなビームを過飽和吸収体１５に入射させることができ、さらに、過飽和吸収体１５を通過したビームの殆どをＥＤＦ１１の導波路２１に戻すことができる【選択図】  図１
2004260077.tif 000002
【特許請求の範囲】
【請求項１】
一対の反射鏡と、前記反射鏡の間にレーザ媒質として設置されるとともに導波路が設けられた増幅ファイバーと、前記反射鏡の一方に対し前記増幅ファイバーの一端側の方面で固着された過飽和吸収体と、を有するモードロックファイバーレーザーにおいて、
前記過飽和吸収体で、少なくとも、前記増幅ファイバーの一端側の導波路の端面を掩覆させたこと、を特徴とするモードロックファイバーレーザー。
【請求項２】
一対の反射鏡と、前記反射鏡の間にレーザ媒質として設置されるとともに導波路が設けられた増幅ファイバーと、前記反射鏡の一方と前記増幅ファイバーの一端との間に設置された過飽和吸収体と、を有するモードロックファイバーレーザーにおいて、
前記過飽和吸収体で、少なくとも、前記増幅ファイバーの一端側の導波路の端面を掩覆させ、
前記反射鏡の一方は、前記増幅ファイバーの一端側の導波路の端面上に集光点を合わせた形状をなすとともに、前記過飽和吸収体を内在させつつ前記増幅ファイバーの一端側に固定されたこと、を特徴とするモードロックファイバーレーザー。
【請求項３】
請求項１又は請求項２に記載するモードロックファイバーレーザーであって、
前記増幅ファイバーに一体化されたインラインファイバーファラデーローテーターを備えたこと、を特徴とするモードロックファイバーレーザー。
【発明の詳細な説明】
【０００１】
【発明の属する技術分野】
本発明は、増幅ファイバーをレーザ媒質とするモードロックファイバーレーザーに関する。
【０００２】
【従来の技術】
従来、例えば、図１１に示すように、モードロックファイバーレーザー１００は、一対の反射鏡１０６，１１１及び、レーザ媒質としてのＥｒ（エルビウム）が添加されたシングルモードの増幅ファイバー（以下、「ＥＤＦ」という）１０１、励起源としてのレーザーダイオード１１９、モード同期させるための過飽和吸収体１０５などから構成されている。この点、過飽和吸収体１０５は、その厚みが１μｍ以下でも充分なため、金ミラーである反射鏡１０６に蒸着されている。
【０００３】
そして、従来技術のモードロックファイバーレーザー１００では、レーザーダイオード１１９からのポンプ光が、波長分割多重化カップラー（以下、「ＷＤＭ」という）１１８を介して、ＥＤＦ１０１に供給されると、一対の反射鏡１０６，１１１の間を往復するうちに増幅されて定常波となる。このとき、過飽和吸収体１０５は、モードロックされた定常波を作り出すスタータである。
【０００４】
但し、過飽和吸収体１０５において、強い光に対して吸収を小さくするとともに弱い光に対して吸収を大きくする働きを顕著にするには、密度の大きな光を入射させる必要がある。そこで、従来技術のモードロックファイバーレーザー１００では、ＥＤＦ１０１から空間に取り出したパルス光をレンズ１０２でコリメートし、さらに、レンズ１０４で集光させたパルス光を過飽和吸収体１０５に照射させている。
【０００５】
また、従来技術のモードロックファイバーレーザー１００では、モードロックを安定させるために、例えば、反射鏡１１１としてファラデーローテーターを使用するとともに、レンズ１０２，１０４の間にファラデーローテーター１０３を設置している（例えば、特許文献１参照）。
【０００６】
【特許文献１】
特開平８−５１２４６号公報
【０００７】
そして、ＷＤＭ１１８と反射鏡１１１の間において、シングルモードのファイバー１１７及び、レンズ１１６、１／４波長板１１５、１／２波長板１１４、偏光ビームスプリッタ１１３、レンズ１１２を設置することにより、偏光ビームスプリッタ１１３を介して、レーザ出力させることができる。
【０００８】
【発明が解決しようとする課題】
しかしながら、ＥＤＦ１０１から空間に取り出されたパルス光を、一対の反射鏡１０６，１１１の間で往復させるためには、反射鏡１０６で反射した後に、レンズ１０４，１０２を介して、ＥＤＦ１０１に再び戻す必要があり、この点、ＥＤＦ１０１の導波路の径は１０μｍ程度と非常に小さいため、熱的又は機械的な変動でレンズ１０４，１０２の保持部が移動し、光軸が少しでもずれてしまうと、レーザ出力の光量が変動することがあった。
【０００９】
そこで、本発明は、上述した点を鑑みてなされたものであり、光軸調整を伴うことなく過飽和吸収体のモード同期機能を充分に発揮させることができるモードロックファイバーレーザーを提供することを課題とする。
【００１０】
【課題を解決するための手段】
この課題を解決するために成された請求項１に係る発明は、一対の反射鏡と、前記反射鏡の間にレーザ媒質として設置されるとともに導波路が設けられた増幅ファイバーと、前記反射鏡の一方に対し前記増幅ファイバーの一端側の方面で固着された過飽和吸収体と、を有するモードロックファイバーレーザーにおいて、前記過飽和吸収体で、少なくとも、前記増幅ファイバーの一端側の導波路の端面を掩覆させたこと、を特徴としている。
【００１１】
このような特徴を有する本発明のモードロックファイバーレーザーでは、過飽和吸収体により、少なくとも、増幅ファイバーの一端側の導波路の端面が被せ隠されている。この点、増幅ファイバーの導波路の径は、例えば、シングルモードのもので１０μｍ程度であり、よって、増幅ファイバーの導波路を伝搬中のビーム又は、増幅ファイバーの導波路から出射した直後のビームは、その径が非常に小さく、レンズで集光するのと同程度の光密度を有する。従って、増幅ファイバーの一端側の導波路の端面を被せ隠している過飽和吸収体に対して、密度の大きなビームを入射させることができる。
【００１２】
そして、過飽和吸収体を透過したビームは、過飽和吸収体に固着された反射鏡の一方で反射し、過飽和吸収体を再び透過した後に、増幅ファイバーの導波路に戻ることになる。この点、過飽和吸収体は、モード同期機能を充分に発揮させるためには、例えば、１μｍ以下の厚みで足りる。よって、増幅ファイバーの導波路から出射したビームは、非常に薄い過飽和吸収体を往復して通過するので、殆ど広がることなく、増幅ファイバーの導波路に入射する。従って、過飽和吸収体を通過したビームの殆どは、増幅ファイバーの導波路に戻ることができる。
【００１３】
尚、「掩覆」とは、上述したように、少なくとも増幅ファイバーの一端側の導波路の端面を過飽和吸収体で被せ隠すことをいう。そのためには、例えば、増幅ファイバーの一端側の導波路の端面に過飽和吸収体を機械的に接触させてもよいし、増幅ファイバーの一端側の導波路の端面に過飽和吸収体を蒸着させてもよい。また、増幅ファイバーの一端側の導波路の端面のみを過飽和吸収体で被せ隠してもよいし、増幅ファイバーの一端側の端面（導波路の端面を含む）を過飽和吸収体で被せ隠してもよい。
【００１４】
すなわち、本発明のモードロックファイバーレーザーでは、反射鏡の一方に対し増幅ファイバーの一端側の方面で固着された過飽和吸収体で、少なくとも、増幅ファイバーの一端側の導波路の端面を掩覆させることにより、光軸調整が必要なレンズを使用することなく、密度の大きなビームを過飽和吸収体に入射させることができ、さらに、過飽和吸収体を通過したビームの殆どを増幅ファイバーの導波路に戻すことができるので、光軸調整を伴うことなく過飽和吸収体のモード同期機能を充分に発揮させることが可能となる。
【００１５】
また、請求項２に係る発明は、一対の反射鏡と、前記反射鏡の間にレーザ媒質として設置されるとともに導波路が設けられた増幅ファイバーと、前記反射鏡の一方と前記増幅ファイバーの一端との間に設置された過飽和吸収体と、を有するモードロックファイバーレーザーにおいて、前記過飽和吸収体で、少なくとも、前記増幅ファイバーの一端側の導波路の端面を掩覆させ、前記反射鏡の一方は、前記増幅ファイバーの一端側の導波路の端面上に集光点を合わせた形状をなすとともに、前記過飽和吸収体を内在させつつ前記増幅ファイバーの一端側に固定されたこと、を特徴としている。
【００１６】
このような特徴を有する本発明のモードロックファイバーレーザーでは、過飽和吸収体により、少なくとも、増幅ファイバーの一端側の導波路の端面が被せ隠されている。この点、増幅ファイバーの導波路の径は、例えば、シングルモードのもので１０μｍ程度であり、よって、増幅ファイバーの導波路を伝搬中又は、増幅ファイバーの導波路から出射した直後のビームは、その径が非常に小さく、レンズで集光するのと同程度の光密度を有する。従って、増幅ファイバーの一端側の導波路の端面を被せ隠している過飽和吸収体に対して、密度の大きなビームを入射させることができる。
【００１７】
そして、過飽和吸収体を透過したビームは、増幅ファイバーの一端側に固定された反射鏡の一方で反射し、過飽和吸収体を再び透過した後に、増幅ファイバーの導波路に戻ることになる。この点、反射鏡の一方は、増幅ファイバーの一端側の導波路の端面上に集光点を合わせた形状をなしている。よって、増幅ファイバーの導波路から出射したビームは、反射鏡の一方での反射により、増幅ファイバーの一端側の導波路の端面上の焦光点に進むことになる。従って、過飽和吸収体を通過したビームの全ては、増幅ファイバーの導波路に戻ることができる。
【００１８】
尚、過飽和吸収体が、モード同期機能を充分に発揮させるためには、例えば、１μｍ以下の厚みで足りることを考慮すれば、過飽和吸収体中でモード同期機能を発揮する程度の光密度を有し、充分な量の光が再び導波路に戻る限りにおいて、反射鏡の一方の形状における集光点は、増幅ファイバーの一端側の導波路の端面上から過飽和吸収体の側、もしくはその反対側（導波路の側）に多少ずれていてもよい。尚、反射鏡の一方が、増幅ファイバーの一端側の導波路の端面上に集光点を合わせた形状をなすようにするには、反射鏡として、反射面が凹面形状あるいは球面形状となるものを使用すればよい。
【００１９】
また、「掩覆」とは、上述したように、少なくとも増幅ファイバーの一端側の導波路の端面を過飽和吸収体で被せ隠すことをいう。そのためには、例えば、増幅ファイバーの一端側の導波路の端面に過飽和吸収体を機械的に接触させてもよいし、増幅ファイバーの一端側の導波路の端面に過飽和吸収体を蒸着させてもよい。また、増幅ファイバーの一端側の導波路の端面のみを過飽和吸収体で被せ隠してもよいし、増幅ファイバーの一端側の端面（導波路の端面を含む）を過飽和吸収体で被せ隠してもよい。
【００２０】
すなわち、本発明のモードロックファイバーレーザーでは、増幅ファイバーの一端側に固定された反射鏡の一方に内在する過飽和吸収体で、少なくとも、増幅ファイバーの一端側の導波路の端面を掩覆させることにより、光軸調整が必要なレンズを使用することなく、密度の大きなビームを過飽和吸収体に入射させることができ、さらに、反射鏡の一方が、増幅ファイバーの一端側の導波路の端面上に集光点を合わせた形状をなすことにより、光軸調整が必要なレンズを使用することなく、過飽和吸収体を通過したビームの全てを増幅ファイバーの導波路に戻すことができるので、光軸調整を伴うことなく過飽和吸収体のモード同期機能を充分に発揮させることが可能となる。
【００２１】
また、請求項３に係る発明は、請求項１又は請求項２に記載するモードロックファイバーレーザーであって、前記増幅ファイバーに一体化されたインラインファイバーファラデーローテーターを備えたこと、を特徴としている。
【００２２】
すなわち、本発明のモードロックファイバーレーザーでは、光軸調整が必要なレンズを使用することなく、過飽和吸収体のモード同期機能を充分に発揮させることが可能となるので、かかるレンズの設置スペースが省略でき、省スペース化などのファイバーレーザーの長所を向上させることができるが、この点、本発明のモードロックファイバーレーザーにおいて、増幅ファイバーに一体化されたインラインファイバーファラデーローテーターを備えれば、モードロックの安定化を図るとともに、例えば、モードロックの安定化のためのファラデーローテーター（の設置スペース）を省略することができるので、省スペース化などのファイバーレーザーの長所をより向上させることができる。
【００２３】
【発明の実施の形態】
以下、本発明の実施の形態を図面を参照にして説明する。本実施の形態のモードロックファイバーレーザーは、「従来技術」の欄で述べたモードロックファイバーレーザー１００（図１１参照）に対して、図１０に示した、ＥＤＦ１０１から反射鏡１０６までの間を変更したものである。そこで、本欄では、その変更点について詳細に説明する。
【００２４】
本実施の形態のモードロックファイバーレーザーでは、図１に示すように、ＰＣフェルール１４に装着させたシングルモードのＥＤＦ１１の一端側の端面に対し、片側が金コートされた過飽和吸収体１５（その厚みが１μｍ以下のもの）を接触させている。
【００２５】
この点、シングルモードのＥＤＦ１１の一端側の端面の全部が過飽和吸収体１５で覆われているので、ＥＤＦ１１の一端側の導波路２１の端面も過飽和吸収体１５で覆われている。また、過飽和吸収体１５の片側に金コートされた部分は、金ミラー１６であり、従来技術における反射鏡１０６（図１０，図１１参照）に相当するものである。さらに、過飽和吸収体１５をＥＤＦ１１の一端側の端面に接触させることについては、金ミラー１６が既に固着された過飽和吸収体１５をＥＤＦ１１の一端側の端面に機械的に押し付けてもよいし、ＥＤＦ１１の一端側の端面において過飽和吸収体１５と金ミラー１６を順に真空蒸着させてもよい。
【００２６】
また、本実施の形態のモードロックファイバーレーザーでは、図１に示すように、ＰＣフェルール１４に装着させたＥＤＦ１１の他端側に対し、インラインファイバーファラデーローテーター１２の一端側を融着させるとともに、さらに、インラインファイバーファラデーローテーター１２の他端側に対し、シングルモードのＥＤＦ１３の一端側を融着させている。そして、ＥＤＦ１３の他端側は、図１１のＷＤＭ１１８に接続されており、これにより、上述した構成以外は、「従来技術」の欄で述べたモードロックファイバーレーザー１００（図１１参照）と同じ構成をなしている。特に、図１１の反射鏡１１１は、ファラデーローテーターミラーである。
【００２７】
ここで、本実施の形態のモードロックファイバーレーザーにおいて、出力レーザの波長成分を図８に示すとともに、発振モードを図９に示す。図８及び図９により、本実施の形態のモードロックファイバーレーザーでは、モードロックされたレーザー出力が安定に行われていることがわかる。
【００２８】
以上より、図１に示した本実施の形態のモードロックファイバーレーザーでは、過飽和吸収体１５により、ＥＤＦ１１の一端側の端面（導波路２１の端面を含む）が被せ隠されている。この点、ＥＤＦ１１の導波路２１の径は１０μｍ程度であり、よって、ＥＤＦ１１の導波路２１を伝搬中のビーム又は、ＥＤＦ１１の導波路２１から出射した直後のビームは、その径が非常に小さく、レンズで集光するのと同程度の光密度を有する。従って、ＥＤＦ１１の一端側の導波路２１の端面を被せ隠している過飽和吸収体１５に対して、密度の大きなビームを入射させることができる。
【００２９】
そして、過飽和吸収体１５を透過したビームは、過飽和吸収体１５に金コートされた金ミラー１６で反射し、過飽和吸収体１５を再び透過した後に、ＥＤＦ１１の導波路２１に戻ることになる。この点、過飽和吸収体１５は、モード同期機能を充分に発揮させるためのものであり、１μｍ以下の厚みである。よって、ＥＤＦ１１の導波路２１から出射したビームは、非常に薄い過飽和吸収体１５を往復して通過するので、殆ど広がることなく、ＥＤＦ１１の導波路２１に入射する。従って、過飽和吸収体１５を通過したビームの殆どは、ＥＤＦ１１の導波路２１に戻ることができる。
【００３０】
すなわち、図１の本実施の形態のモードロックファイバーレーザーでは、金ミラー１６に対しＥＤＦ１１の一端側の方面で固着された過飽和吸収体１５で、ＥＤＦ１１の一端側の端面（導波路２１の端面を含む）を掩覆させることにより、光軸調整が必要なレンズ（図１０，図１１のレンズ１０２，１０４）を使用することなく、密度の大きなビームを過飽和吸収体１５に入射させることができ、さらに、過飽和吸収体１５を通過したビームの殆どをＥＤＦ１１の導波路２１に戻すことができるので、光軸調整を伴うことなく過飽和吸収体１５のモード同期機能を充分に発揮させることが可能となる。
【００３１】
また、図１の本実施の形態のモードロックファイバーレーザーでは、光軸調整が必要なレンズ（図１０，図１１のレンズ１０２，１０４）を使用することなく、過飽和吸収体１５のモード同期機能を充分に発揮させることが可能となるので、かかるレンズ（図１０，図１１のレンズ１０２，１０４）の設置スペースが省略でき、省スペース化などのファイバーレーザーの長所を向上させることができる。この点、本実施の形態のモードロックファイバーレーザーにおいては、ＥＤＦ１１に一体化されたインラインファイバーファラデーローテーター１２を備えており、モードロックの安定化を図るとともに、モードロックの安定化のための従来技術におけるファラデーローテーター１０３（図１１参照）の省略、つまり、その設置スペースを省略することができるので、省スペース化などのファイバーレーザーの長所をより向上させることができる。
【００３２】
また、図１の本実施の形態のモードロックファイバーレーザーでは、過飽和吸収体１５で掩覆されているＥＤＦ１１の一端側の端面が凸状になっているが、この点、図３に示すように、平面状になっていてもよい。さらに、図４に示すように、過飽和吸収体１５で掩覆されているＥＤＦ１１の一端側の導波路２１にコア拡大部分２２が設けられていてもよい。
【００３３】
また、図４では、ＥＤＦ１１の一端側の端面の全部を過飽和吸収体１５で掩覆しているが、この点、ＥＤＦ１１の一端側の導波路２１の端面のみを過飽和吸収体１５で掩覆してもよい。例えば、図５に示すように、ＥＤＦ１１の一端側の導波路２１の端面のみを過飽和吸収体１５で覆い、さらに、ＥＤＦ１１の一端側の端面及び過飽和吸収体１５を金ミラー１６で覆ってもよい。また、図６に示すように、ＥＤＦ１１の一端側の導波路２１の一部を過飽和吸収体１５とし、さらに、ＥＤＦ１１の一端側の端面及び過飽和吸収体１５を金ミラー１６で覆ってもよい。また、図７に示すように、ＥＤＦ１１の一端側の導波路２１の一部を過飽和吸収体１５とし、さらに、過飽和吸収体１５をＥＤＦ１１の一端側から突出させた後に、ＥＤＦ１１の一端側の端面及び過飽和吸収体１５を金ミラー１６で覆ってもよい。
【００３４】
また、図５，図６，図７においては、過飽和吸収体１５の露出部分のみを金ミラー１６で覆ってもよい。また、図６においては、ＥＤＦ１１の一端側の導波路２１の一部を空洞とし、粉末状の過飽和吸収体１５（例えば、カーボンナノチューブ等）を入れて製造することもできる。
【００３５】
また、図１の本実施の形態のモードロックファイバーレーザーでは、過飽和吸収体１５に金コートされている金ミラー１６が凹状になっているが、この点、凹状の金ミラー１６の曲率を最適化すれば、過飽和吸収体１５を通過したビームの全部を、ＥＤＦ１１の導波路２１に戻すことができる。
【００３６】
例えば、図２には、過飽和吸収体１５で掩覆されているＥＤＦ１１の一端側の端面が平面状になっているものを示しているが、この点、ＥＤＦ１１の一端側にバルク状の金ミラー１６を固定し、金ミラー１６の形状として、ＥＤＦ１１の一端側の導波路２１の端面上の中心点を中心とする半円形状のものを採用すれば、ＥＤＦ１１の一端側の導波路２１の端面上の中心点を金ミラー１６の集光点Ｐとすることができるので、過飽和吸収体１５を通過したビームの全部を、ＥＤＦ１１の導波路２１に戻すことができる。
【００３７】
以上より、図２に示した本実施の形態のモードロックファイバーレーザーでは、過飽和吸収体１５により、ＥＤＦ１１の一端側の端面（導波路２１の端面を含む）が被せ隠されている。この点、ＥＤＦ１１の導波路２１の径は１０μｍ程度であり、よって、ＥＤＦ１１の導波路２１を伝搬中のビーム又は、ＥＤＦ１１の導波路２１から出射した直後のビームは、その径が非常に小さく、レンズで集光するのと同程度の光密度を有する。従って、ＥＤＦ１１の一端側の導波路２１の端面を被せ隠している過飽和吸収体１５に対して、密度の大きなビームを入射させることができる。
【００３８】
そして、過飽和吸収体１５を透過したビームは、ＥＤＦ１１の一端側に固定された金ミラー１６で反射し、過飽和吸収体１５を再び透過した後に、ＥＤＦ１１の導波路２１に戻ることになる。この点、金ミラー１６は、ＥＤＦ１１の一端側の導波路２１の端面上の中心に集光点Ｐを合わせた半円形状をなしている。よって、ＥＤＦ１１の導波路２１から出射したビームは、金ミラー１６での反射により、ＥＤＦ１１の一端側の導波路２１の端面上の焦光点Ｐに進むことになる。従って、過飽和吸収体１５を通過したビームの全ては、ＥＤＦ１１の導波路２１に戻ることができる。
【００３９】
もっとも、金ミラー１６の半円形状における集光点Ｐは、ＥＤＦ１１の一端側の導波路２１の端面上にあればよく、また、過飽和吸収体１５が、モード同期機能を充分に発揮させるためには、１μｍ以下の厚みで足りることを考慮すれば、過飽和吸収体１５中でモード同期機能を発揮する程度の光密度を有し、充分な量の光が再びＥＤＦ１１の導波路２１に戻る限りにおいて、ＥＤＦ１１の一端側の導波路２１の端面上から過飽和吸収体１５の側、もしくはその反対側（導波路２１の側）に多少ずれていてもよい。また、金ミラー１６の形状は、半円形状に限るものではない。
【００４０】
すなわち、図２の本実施の形態のモードロックファイバーレーザーでは、ＥＤＦ１１の一端側に固定された金ミラー１６に内在する過飽和吸収体１５で、ＥＤＦ１１の一端側の端面（導波路２１の端面を含む）を掩覆させることにより、光軸調整が必要なレンズ（図１０，図１１のレンズ１０２，１０４）を使用することなく、密度の大きなビームを過飽和吸収体１５に入射させることができ、さらに、金ミラー１６が、ＥＤＦ１１の一端側の導波路２１の端面上に集光点Ｐを合わせた形状をなすことにより、光軸調整が必要なレンズ（図１０，図１１のレンズ１０２，１０４）を使用することなく、過飽和吸収体１５を通過したビームの全てをＥＤＦ１１の導波路２１に戻すことができるので、光軸調整を伴うことなく過飽和吸収体１５のモード同期機能を充分に発揮させることが可能となる。
【００４１】
また、図２では、ＥＤＦ１１の一端側の端面の全部を過飽和吸収体１５で掩覆しているが、この点、ＥＤＦ１１の一端側の導波路２１の端面のみを過飽和吸収体１５で掩覆してもよい。
【００４２】
尚、本発明は上記実施の形態に限定されるものでなく、その趣旨を逸脱しない範囲で様々な変更が可能である。
例えば、本実施の形態のモードロックファイバーレーザーでは、ＥＤＦ１１については、シングルモードの単なるファイバーであってもよい。
また、ＰＣフェノール１４は、取り扱いの便宜上使用するものであって、使用しないケースもある。
【００４３】
【発明の効果】
本発明のモードロックファイバーレーザーでは、反射鏡の一方に対し増幅ファイバーの一端側の方面で固着された過飽和吸収体で、少なくとも、増幅ファイバーの一端側の導波路の端面を掩覆させることにより、光軸調整が必要なレンズを使用することなく、密度の大きなビームを過飽和吸収体に入射させることができ、さらに、過飽和吸収体を通過したビームの殆どを増幅ファイバーの導波路に戻すことができるので、光軸調整を伴うことなく過飽和吸収体のモード同期機能を充分に発揮させることが可能となる。
【００４４】
また、本発明のモードロックファイバーレーザーでは、増幅ファイバーの一端側に固定された反射鏡の一方に内在する過飽和吸収体で、少なくとも、増幅ファイバーの一端側の導波路の端面を掩覆させることにより、光軸調整が必要なレンズを使用することなく、密度の大きなビームを過飽和吸収体に入射させることができ、さらに、反射鏡の一方が、増幅ファイバーの一端側の導波路の端面上に集光点を合わせた形状をなすことにより、光軸調整が必要なレンズを使用することなく、過飽和吸収体を通過したビームの全てを増幅ファイバーの導波路に戻すことができるので、光軸調整を伴うことなく過飽和吸収体のモード同期機能を充分に発揮させることが可能となる。
【００４５】
また、本発明のモードロックファイバーレーザーでは、光軸調整が必要なレンズを使用することなく、過飽和吸収体のモード同期機能を充分に発揮させることが可能となるので、かかるレンズの設置スペースが省略でき、省スペース化などのファイバーレーザーの長所を向上させることができるが、この点、本発明のモードロックファイバーレーザーにおいて、増幅ファイバーに一体化されたインラインファイバーファラデーローテーターを備えれば、モードロックの安定化を図るとともに、例えば、モードロックの安定化のためのファラデーローテーター（の設置スペース）を省略することができるので、省スペース化などのファイバーレーザーの長所をより向上させることができる。
【図面の簡単な説明】
【図１】本発明の一実施形態によるモードロックファイバーレーザーの一部の概要を示した図である。
【図２】本発明の一実施形態によるモードロックファイバーレーザーの変形例を示した図である。
【図３】本発明の一実施形態によるモードロックファイバーレーザーの変形例を示した図である。
【図４】本発明の一実施形態によるモードロックファイバーレーザーの変形例を示した図である。
【図５】本発明の一実施形態によるモードロックファイバーレーザーの変形例を示した図である。
【図６】本発明の一実施形態によるモードロックファイバーレーザーの変形例を示した図である。
【図７】本発明の一実施形態によるモードロックファイバーレーザーの変形例を示した図である。
【図８】本発明の一実施形態によるモードロックファイバーレーザーの出力レーザの波長成分を示した図である。
【図９】本発明の一実施形態によるモードロックファイバーレーザーの発振モードを示した図である。
【図１０】本発明の一実施形態によるモードロックファイバーレーザーに関し、図１１に示したモードロックファイバーレーザーの改良箇所を示した図である。
【図１１】従来技術のモードロックファイバーレーザーの概要を示した図である。
【符号の説明】
１１，１３  ＥＤＦ（増幅ファイバー）
１２  インラインファイバーファラデーローテーター
１５  過飽和吸収体
１６  金ミラー（反射鏡の一方）
２１  ＥＤＦの導波路
１００  モードロックファイバーレーザー
１１１  反射鏡
Ｐ  金ミラーの集光点
【図１】
2004260077.tif 000003
【図２】
2004260077.tif 000004
【図３】
2004260077.tif 000005
【図４】
2004260077.tif 000006
【図５】
2004260077.tif 000007
【図６】
2004260077.tif 000008
【図７】
2004260077.tif 000009
【図８】
2004260077.tif 000010
【図９】
2004260077.tif 000011
【図１０】
2004260077.tif 000012
【図１１】
2004260077.tif 000013